(57)【要約】【課題】第１操作者がジョブ設定中であっても、他の操作者がジョブ設定の予約をすることが可能な画像形成装置を提供することを目的とする。【解決手段】本発明に係る画像形成装置は、操作者がジョブを設定するためのジョブ設定手段と、操作者がジョブ設定の予約をするためのジョブ設定予約手段と、前記ジョブ設定手段で設定されたジョブに従って画像形成装置を動作させる制御手段と、第１操作者が前記ジョブ設定手段によるジョブ設定中に、他の操作者が前記ジョブ設定予約手段でジョブ設定の予約をした場合には、前記第１操作者により設定されたジョブの実行開始後に、前記他の操作者のジョブ設定を受け付け可能な状態とする第２の制御手段と、を備えている。【選択図】        図２
2006237857.tif 000002
【特許請求の範囲】
【請求項１】
ジョブを設定するためのジョブ設定手段と、
ジョブ設定の予約をするためのジョブ設定予約手段と、
前記ジョブ設定手段で設定されたジョブの実行を制御する第１の制御手段と、
前記ジョブ設定手段による第１のジョブ設定中に、前記ジョブ設定予約手段でジョブ設定の予約をした場合には、前記第１のジョブの実行開始後に前記ジョブ設定手段によるジョブ設定を受け付け可能な状態とする第２の制御手段と、
を備えたことを特徴とする画像形成装置。
【請求項２】
前記ジョブ設定手段による第１のジョブ設定中に、前記ジョブ設定予約手段により複数のジョブ設定の予約を可能としたことを特徴とする請求項１に記載の画像形成装置。
【請求項３】
前記ジョブ設定予約手段の操作者の認証情報を予め記憶した記憶手段を備え、
前記第２の制御手段は、前記ジョブ設定手段による第１のジョブ設定中に、前記ジョブ設定予約手段でジョブ設定の予約をした場合には、前記第１のジョブの実行開始後に認証情報を要求し、
入力された認証情報と前記記憶手段に記憶されている認証情報が一致した場合に、前記ジョブ設定手段によるジョブ設定を受け付け可能な状態とすることを特徴とする請求項１または請求項２に記載の画像形成装置。
【請求項４】
前記ジョブは、コピージョブ、スキャナジョブ、プリンタジョブ、ＦＡＸ送信ジョブ、およびメール送信ジョブのいずれかであることを特徴とする請求項１〜請求項３のいずれか１つに記載の画像形成装置。
【発明の詳細な説明】
【技術分野】
【０００１】
本発明は画像形成装置に関し、詳細には、操作者がジョブ設定中に、他の操作者がジョブ設定の予約をすることが可能な画像形成装置に関する。
【背景技術】
【０００２】
従来、予約コピー機能を有する画像形成装置では、原稿の画像情報を読み取るスキャナ（画像読取手段）と、スキャナによって読み取られた画像情報を記憶する画像メモリ（画像記憶手段）と、スキャナによって読み取られた画像情報を用紙上に画像形成するプリンタ（画像形成手段）とを備え、スキャナとプリンタとを非同期に動作させることにより、プリンタが動作不能の時や画像形成動作中（ジョブの実行中）であっても、任意の機能（条件）でのコピーを予約してスキャナに原稿の画像情報の読み取りを行なわせることができる。例えば、特許文献１の画像形成装置は、第１操作者のコピージョブの原稿読み取りの完了後に、第２操作者のコピージョブの設定の予約を受け付けている。
【０００３】
【特許文献１】特開平９−４６４６２号公報
【発明の開示】
【発明が解決しようとする課題】
【０００４】
しかしながら、上記特許文献１の技術では、第１のコピージョブの実行中に、第２のコピージョブの予約をする場合は、第１のコピージョブの原稿読み取りが完了した後に限られているため、実際の操作において、圧板で一枚一枚原稿を読み取らせてコピーを実行するような場合には、第２操作者は、ジョブがすべて完了するまで次のコピージョブの予約ができないという問題がある。また、上記特許文献１の技術では、ジョブの設定の予約はコピージョブに限られており、ＦＡＸ送信やメール送信を行う場合に操作を予約することができないという問題がある。
【０００５】
本発明は、上記に鑑みてなされたものであり、第１操作者がジョブ設定中であっても、他の操作者がジョブ設定の予約をすることが可能な画像形成装置を提供することを目的とする。
【課題を解決するための手段】
【０００６】
上述した課題を解決し、目的を達成するために、本発明は、ジョブ設定の予約をするためのジョブ設定予約手段と、前記ジョブ設定手段で設定されたジョブの実行を制御する第１の制御手段と、前記ジョブ設定手段による第１のジョブ設定中に、前記ジョブ設定予約手段でジョブ設定の予約をした場合には、前記第１のジョブの実行開始後に前記ジョブ設定手段によるジョブ設定を受け付け可能な状態とする第２の制御手段と、を備えたことを特徴とする。
【０００７】
これにより、第１操作者が前記ジョブ設定手段によるジョブ設定中に、他の操作者が前記ジョブ設定予約手段でジョブ設定の予約をした場合には、前記第１操作者により設定されたジョブの実行開始後に、前記他の操作者のジョブ設定を受け付け可能な状態としているので、第１操作者がジョブ設定中であっても、他の操作者がジョブ設定の予約をすることができ、複数の操作者が画像形成装置を効率的に使用することが可能となる。
【０００８】
また、本発明の好ましい態様によれば、前記ジョブ設定手段による第１のジョブ設定中に、前記ジョブ設定予約手段により複数のジョブ設定の予約を可能とすることが望ましい。これにより、第１操作者が前記ジョブ設定手段によるジョブ設定中に、他の複数の操作者がジョブ設定の予約をすることができ、より多数の操作者が画像形成装置を効率的に使用することが可能となる。
【０００９】
また、本発明の好ましい態様によれば、前記ジョブ設定予約手段の操作者の認証情報を予め記憶した記憶手段を備え、前記第２の制御手段は、前記ジョブ設定手段による第１のジョブ設定中に、前記ジョブ設定予約手段でジョブ設定の予約をした場合には、前記第１のジョブの実行開始後に認証情報を要求し、入力された認証情報と前記記憶手段に記憶されている認証情報が一致した場合に、前記ジョブ設定手段によるジョブ設定を受け付け可能な状態とすることが望ましい。
【００１０】
これにより、予約した操作者であることを認証することにより、予約した者以外の操作を制限することができ、第１操作者により設定されたジョブの実行開始後に、ジョブ設定の受け付けが可能な状態となった場合に、ジョブ設定の予約をした者以外の者がジョブの設定をしてしまうことを回避することが可能となる。
【００１１】
また、本発明の好ましい態様によれば、前記ジョブは、コピージョブ、プリンタジョブ、スキャナジョブ、ＦＡＸ送信ジョブ、およびメール送信ジョブのいずれかであることが望ましい。これにより、第１の操作者がコピージョブ、プリンタジョブ、スキャナジョブ、ＦＡＸ送信ジョブ、およびメール送信ジョブ等の設定をしている場合に、他の操作者は、コピージョブ、プリンタジョブ、スキャナジョブ、ＦＡＸ送信ジョブ、およびメール送信ジョブ等の設定の予約が可能となる。
【発明の効果】
【００１２】
本発明によれば、第１のジョブ設定中に、ジョブ設定の予約をした場合には、第１のジョブの実行開始後にジョブ設定を受け付け可能な状態としているので、第１操作者がジョブ設定中であっても、他の操作者がジョブ設定の予約をすることが可能な画像形成装置を提供することが可能となるという効果を奏する。
【発明を実施するための最良の形態】
【００１３】
以下、この発明に係る画像形成装置について、図面を参照しつつ詳細に説明する。なお、この実施例によりこの発明が限定されるものではない。また、下記実施例における構成要素には、当業者が容易に想定できるものまたは実質的に同一のものが含まれる。
【００１４】
図１は、本発明に係る画像形成装置の概略のメカ構成を示す断面図である。本発明に係る画像形成装置１は、原稿を画像読取ユニットの原稿読取位置に１枚づつ搬送するＡＤＦ（自動原稿送り装置）１００と、原稿の画像データを読み取る読取ユニット２００、読取ユニット２００で読み取った原稿の画像データをプリンタユニット４００に書き込む書込ユニット３００と、画像データを転写紙に印字するプリンタユニット４００と、後処理装置であるフィニッシャ５００と、操作者が画像形成装置１の動作内容の設定や動作指示を与えるための操作部７００（図２参照）とを備えている。読取ユニット２００および書込ユニット３００はスキャナユニットともいう。
【００１５】
ＡＤＦ１００では、原稿台１０１に原稿の画像面を上にして置かれた原稿束は、操作部７００（図２参照）上のスタートキーが押下されると、一番上の原稿から給送ローラ１０２、および給送ベルト１０３によって、原稿読取ユニット２００のコンタクトガラス２０１上の所定の原稿読取位置に給送される。原稿読取ユニット２００でコンタクトガラス２０１上の原稿の画像データが読み取られた後、読み取りが終了した原稿は、給送ベルト１０３および排送ローラ１０４によって排出される。さらに、原稿セット検知センサ１０５にて原稿台１０１に次の原稿が有ることを検知した場合、前原稿と同様にコンタクトガラス２０１上に給送される。給送ローラ１０２、給送ベルト１０３、および排送ローラ１０５は搬送モータ１１０（図２参照）によって駆動される。
【００１６】
原稿読取ユニット２００は、原稿を載置するコンタクトガラス２０１と光学走査系で構成されており、光学走査系は、露光ランプ２０２、第１ミラー２０３、第２ミラー２０４、第３ミラー２０５、結像レンズ２０６、ＣＣＤイメージセンサ２０７等で構成されている。露光ランプ２０２および第１ミラー２０３は、不図示の第１キャリッジ上に固定され、第２ミラー２０４および第３ミラー２０５は、不図示の第２キャリッジ上に固定されている。原稿を読み取るときには、光路長が変わらないように、第１キャリッジと第２キャリッジとが２対１の相対速度で機械的に走査される。この光学走査系は、図示しないスキャナ駆動モータにより駆動される。原稿の画像データは、ＣＣＤイメージセンサ２０７によって読み取られ、電気信号に変換されて処理される。
【００１７】
書込ユニット３００は、レーザ出力ユニット３０１、結像レンズ３０２、ミラー３０３で構成され、レーザ出力ユニット３０１の内部には、レーザ光源であるレーザダイオードおよびモータによって高速で定速回転する多角形ミラー（ポリゴンミラー）が設けられている。書込ユニット３００から出力されるレーザ光が、プリンタユニット４００の感光体４０１照射される。感光体４０１の一端近傍のレーザビームを照射される位置には、主走査同期信号を発生するビームセンサ（不図示）が配置されている。
【００１８】
プリンタユニット４００では、第１トレイ４０２、第２トレイ４０３、第３トレイ４０４に積載された転写紙は、各々第１給紙装置４０５、第２給紙装置４０６、第３給紙装置４０７によって給紙され、縦搬送ユニット４０８によって感光体４０１に当接する位置まで搬送される。上述したように、読取ユニット２００で読み取られた画像データは、書込ユニット３００からのレーザーによって感光体４０１に書き込まれ、現像ユニット４１５を通過することによってトナー像が形成される。そして、転写紙は感光体４０１の回転と等速で搬送ベルト４０９によって搬送されながら、感光体４０１上のトナー像が転写される。その後、定着ユニット４１０にて画像を定着させ、排紙ユニット４１１によって後処理装置であるフィニシャ５００に排出される。
【００１９】
フィニシャ５００は、通常使用されるスタッカトレイ５０１の方向と、第２排紙トレイ５０２の方向とに導くことができる。切り替え板５０３を上に切り替えることにより、搬送ローラ５０４、５０５を経由してスタッカトレイ５０１側に排紙することができる。また、切り替え板５０３を下方向に切り替えることで、搬送ローラ５０６、５０７を経由して、第２排紙トレイ５０２に搬送することができる。第２排紙トレイ５０２には転写紙の落下防止用に落下ストッパ５０８が設けられており、さらに、フィニッシャ５００の下部には落下トレイ５０９が設けられている。
【００２０】
転写紙の両面に画像を作像する場合は、各給紙トレイ４０２〜４０４から給紙され作像された転写紙をスタッカトレイ５０１側に導かないで、経路切り替えのための分岐爪１１２を上側にセットすることで、一旦、両面給紙ユニット４１３にストックする。
【００２１】
その後、両面給紙ユニット４１３にストックされた転写紙は再び感光体４０１に作像されたトナー画像を転写するために、両面給紙ユニット４１３から再給紙され、経路切り替えの為の分岐爪４１２を下側にセットし、スタッカトレイ５０１に導く。このように、転写紙の両面に画像を作成する場合に両面給紙ユニット４１３が使用される。
【００２２】
感光体４０１、搬送ベルト４０９、定着ユニット４１０、排紙ユニット４１１、現像ユニット４０８は、メインモータ４５０（図２参照）によって駆動され、各給紙装置４０５〜４０７はメインモータ４５０（図２参照）の駆動を各々給紙クラッチ４５１〜４５４（図２参照）によって伝達駆動される。縦搬送ユニット４０８はメインモータ４５０（図２参照）の駆動を中間クラッチ４５１（図２参照）によって伝達駆動される。
【００２３】
図２は図１の画像形成装置１のハードウエア構成を示すブロック図である。画像形成装置１は、コピー機能、スキャナ機能、プリンタ機能、ＦＡＸ機能、およびメール送信機能等を有しており、コピージョブ、スキャナジョブ、プリンタジョブ、ＦＡＸジョブ、およびメール送信ジョブを実行する。画像形成装置１は、図２に示すように、メインコントローラ６００、操作部７００、ＩＰＵ（画像処理ユニット）８００、ＩＣカードスロット９００等を備えている。メインコントローラ６００は、画像形成装置全体を制御するためのものであり、紙搬送等に必要なメインモータ４５０、各種クラッチ４５１〜４５４が接続されている。
【００２４】
また、メインコントローラ６００には、操作者に対する表示・操作者からの機能設定入力制御を行う操作部７００、読取ユニット２００および書込ユニット３００の制御・原稿の画像データを画像メモリに書き込む制御・および画像メモリに書き込んだ画像データの作像の制御等を行うＩＰＵ８００、およびＡＤＦ１００等の分散制御装置が接続されている。メインコントローラ６００は、これら各分散制御装置と必要に応じて機械の状態、動作司令の送受信を行う。各分散制御装置が実行する制御プログラムは、各分散制御装置内部のＲＯＭに格納されている。
【００２５】
さらに、メインコントローラ６００には、ＩＣカードスロット９００が接続されており、ＩＣカードスロット９００を介して、画像形成装置外部のＩＣカードに格納されている制御プログラムやデータを分散制御装置内部のＲＯＭにダウンロードし、制御プログラムを変更することが可能な構成となっている。
【００２６】
図３は、図２の操作部７００の構成を示す図である。操作者は、操作部７００を操作して、コピージョブ、スキャナジョブ、プリンタジョブ、ＦＡＸジョブ、およびメール送信ジョブ等を設定する。設定されたジョブは、メインコントローラ６００の制御により画像形成装置１で実行される。操作部７００は、図３に示すように、モード設定のためのキーや画像形成装置の状態を示すメッセージなどを表示する液晶タッチパネル部７０１、テンキー７０２、クリア／ストップキー７０３、スタートキー７０４、予熱キー７０５、リセットキー７０６、初期設定キー７０７、印刷キー７０８、メール送信キー７０９、ファクス送信キー７１０、ドキュメントボックスキー７１１、予約キー７１２、「操作者１」〜「操作者５」キー７１３ａ〜７１３ｅを備えている。
【００２７】
印刷キー７０８、メール送信キー７０９、ファクス送信キー７１０は、読取ユニット２００で読み取られた画像データや記憶装置に蓄積されている画像データに対して、それぞれの出力機能の設定・実行を行うための機能切替キーである。ドキュメントボックスキー７１１は、読み取った画像データを記憶装置に蓄積する機能の設定・実行を行うための機能切替キーである。
【００２８】
予約キー７１２は、操作者がジョブを実行中または操作部７００でジョブの動作内容を設定中に、他の操作者が次にジョブの動作内容の設定を予約するためのキーである。「操作者１」〜「操作者５」キー７１３ａ〜７１３ｅは、予約キー７１２を押下後に押下することで、予約した操作者が誰なのかを明示するためのキーである。「操作者１」〜「操作者５」キー７１３ａ〜７１３ｅ毎にパスワード（認証情報）が登録されている。
【００２９】
図４は、図２のＩＰＵ８００の内部構成例を示すブロック図である。ＩＰＵ８００は、図４に示すように、ＣＣＤイメージセンサ２０７、Ａ／Ｄコンバータ８０１、シエーディング補正部８０２、ＭＴＦ・γ補正部８０３、セレクタ８０４、印字合成部８０５、変倍回路８０６、書込ユニット３００、印字イメージデータ発生装置（印字ユニット）８０７、画像メモリコントローラ８０８、画像メモリ８０９、ＨＤＤ８１０、ＣＰＵ８１１、ＲＯＭ８１２、ＲＡＭ８１３、ＮＶ−ＲＡＭ８１４、Ｉ／Ｏポート８１５、電話回線通信制御ユニット８１６を備えている。
【００３０】
図４において、露光ランプ１０２（図１参照）から照射された光の反射をＣＣＤイメージセンサ２０７にて光電変換し、Ａ／Ｄコンバータ８０１にてデジタル信号に変換する。デジタル信号に変換された画像データは、シェーディング補正部８０２でシェーディング補正がなされた後、ＭＴＦ・γ補正部８０３にてＭＴＦ補正・γ補正等がなされる。その後、セレクタ８０４は、印字合成部部８０５を介して入力した画像データを変倍回路８０６または画像メモリコントローラ８０８へ切り替えて供給し、変倍回路８０６を経由した画像データは変倍率に合せて拡大縮小され、書込ユニット３００に送られる。画像メモリコントローラ８０８とセレクタ８０４間は、双方向に画像データを入出力可能な構成となっている。
【００３１】
ＣＰＵ８１１は、ＲＯＭ８１２に格納されたプログラムやデータに従って、ＲＡＭ８１３をワークエリアとして使用して、画像メモリコントローラ８０８の設定や、読取ユニット２００および書込ユニット３００の制御等を行う。ＮＶ−ＲＡＭ８１４は、不揮発性メモリであり、電源供給が断たれても内部の情報を保持することができる。ＮＶ−ＲＡＭ８１４には、装置の初期設定値等が記憶されている。また、ＮＶ−ＲＡＭ８１４には、「操作者１」〜「操作者５」キー７１３ａ〜７１３ｅの各操作者に対応させてパスワードが登録された操作者テーブルが格納されている。図５は、操作者テーブル８２０の一例を示す図である。操作者テーブル８２０は、図５に示すように、「操作者１」〜「操作者５」に対応させて「パスワード」が登録されている。各「操作者１」〜「操作者５」の「パスワード」は操作部７００から入力して登録可能となっている。
【００３２】
ＣＰＵ８１１は、画像メモリコントローラ８０８を介して、画像メモリ８０９の画像データの書き込み／読み出しを行う。画像メモリコントローラー８０８は、送られてきた原稿の画像データを、プリンタユニット４００で印刷出力するために最適な画像形式に変換さした後、画像メモリ８０９に転送する。
【００３３】
ＩＰＵ８００は、Ｉ／Ｏポート８１５、電話回線通信制御ユニット８１６を介して画像データを外部へメール送信したり、ファクス送信することが可能となっており、複数のデータの入出力の選択を行なう機能を有しており、上述したファクシミリ機能やメール送信機能等を有している。
【００３４】
ＨＤＤ８１０は、大量の画像データを収納するためのものであり、外部電源が不用で永久的に画像を保持できる。また、ＨＤＤ８１０に大量の画像データを蓄積しておき、後で必要に応じて出力するというドキュメントボックス機能を実現することが可能となっている。画像データの書き込み／読み出す場合には、プリンタユニット４００の作像やスキャナからの画像書き込みの処理速度の差を吸収するために、画像メモリ８０９に一旦記憶され処理される。ＨＤＤ８１０から画像データを書込ユニット３００に転送する際には、画像メモリ８０９に一旦記憶し、書込ユニット３００に転送する。画像メモリ８０９、ＨＤＤ８１０、書込ユニット３００に送る画像の入出力は、全てメモリコントローラー８０８によって画像パスが決められる。
【００３５】
図６は、画像形成装置１のジョブ設定予約処理を説明するためのフローチャートであり、第１操作者が、操作部７００でジョブの動作内容を設定中に、他の操作者がジョブの設定の予約をする場合を説明するためのものである。図７は、操作部７００の液晶タッチパネル表示部７０１に表示される画面の一例を示す図である。本発明では、第１操作者がジョブの動作内容を設定中に、複数のジョブの予約を行うことも目的としている。また、第１操作者が画像形成動作の実行を開始し、第２操作者が動作内容を設定可能となった場合に、予約した第２操作者以外の者が動作内容を設定してしまう不具合が想定される。そこで、本発明では、予約した操作者であることを認証することにより、予約した操作者以外の操作者による操作を制限することも目的としている。
【００３６】
図６において、ＣＰＵ８１１は、第１操作者が操作部７００でジョブの動作内容を設定中に、他の操作者による予約キー７１２の押下を検知した後（ステップＳ１の「Ｙｅｓ」）、さらに、「操作者１」〜「操作者５」キー７１３ａ〜７１３ｅのいずれかの押下を検知すると（ステップＳ２の「Ｙｅｓ」）、押下された「操作者」キー７１３による予約要求をＲＡＭ８１３に書き込む（ステップＳ３）。
【００３７】
そして、第１操作者が、ジョブの動作内容の設定を終え、スタートキー７０４を押下して、ジョブの実行が開始されると（ステップＳ４）、ＣＰＵ８１１は、ＲＡＭ８１３に予約要求が書き込まれているか否かを確認し（ステップＳ４）、予約要求が書き込まれている場合には（ステップＳ４の「Ｙｅｓ」）、操作部７００の液晶タッチパネル表示部７０１に、予約要求している操作者のパスワード（認証情報）入力を要求する（ステップＳ６）。図７は、「操作者１」キー７１３ａが押下された場合のパスワード入力画面の一例を示す図である。
【００３８】
これに応じて、「操作者」キー７１３を押下した他の操作者は、操作部７００からパスワード入力する。ＣＰＵ８１１は、ＮＶ−ＲＡＭ８１４の操作者テーブル８２０に登録されている操作者のパスワードと、入力されたパスワードが一致するか否かを照合する（ステップ７）。例えば、「操作者１」キー７１３ａが押下された場合には、操作者テーブル８２０の「操作者１」のパスワードと一致するか否かを照合する。
【００３９】
ＣＰＵ８１１は、パスワードが一致する場合には（ステップＳ７の「Ｙｅｓ」）、操作部７００でのジョブの動作内容の設定を受付可能状態とする一方（ステップＳ８）、一致しない場合には（ステップＳ７の「Ｎｏ」）、再度パスワード入力を要求する。
【００４０】
なお、第１操作者が操作部７００でジョブの動作内容を設定中に、複数のジョブ設定の予約を受け付けることが可能となっている。たとえば、第１操作者が操作部７００でジョブの動作内容を設定中に、第２の操作者が予約キー７１２と、「操作者１」キー７１３ａを押下した後に、さらに、第３の操作者が予約キー７１２と、「操作者２」キー７１３ｂを押下した場合は、２つのジョブ設定の予約がされる。この場合は、ジョブ設定の予約の受付順に処理が行われる。また、本実施の形態では、予約した操作者であることを認証することとしているが、この認証は省略しても、本発明の課題は解決可能である。
【００４１】
以上説明したように、本実施の形態によれば、第１操作者が操作部７００でジョブ設定中に、他の操作者が予約キー７１２を押下した後に、「操作者」キー７１３を押下した場合には、第１操作者により設定されたジョブの実行開始後に、他の操作者のジョブ設定を受け付け可能な状態としているので、第１操作者がジョブ設定中であっても、他の操作者がジョブ設定の予約をすることができ、複数の操作者が画像形成装置を効率的に使用することが可能となる。
【００４２】
また、本実施の形態によれば、第１操作者が操作部７００でジョブ設定中に、複数のジョブ設定の予約を可能な構成としているので、第１操作者がジョブ設定中に、他の複数の操作者がジョブ設定の予約をすることができ、より多数の操作者が画像形成装置を効率的に使用することが可能となる。
【００４３】
また、本実施の形態によれば、ジョブ設定の予約をした場合には、その操作者の認証を行うこととしたので、予約した者以外の操作を制限することができ、第１操作者により設定されたジョブの実行開始後に、ジョブ設定の受け付けが可能な状態となった場合に、ジョブ設定の予約をした者以外の者がジョブの設定することを防止することができる。
【産業上の利用可能性】
【００４４】
以上のように、本発明に係る画像形成装置は、複写機、デジタル複合機、スキャナ、プリンタ、ファクシミリ等の画像形成装置に有用である。
【図面の簡単な説明】
【００４５】
【図１】本発明に係る画像形成装置の概略のメカ構成を示す断面図である。
【図２】図１の画像形成装置のハードウエア構成を示すブロック図である。
【図３】図２の操作部の構成を示す図である。
【図４】図２のＩＰＵの内部構成例を示すブロック図である。
【図５】操作者テーブルの一例を示す図である。
【図６】ジョブ予約処理を説明するためのフローチャートである。
【図７】操作部の液晶タッチパネル表示部に表示される画面の一例を示す図である。
【符号の説明】
【００４６】
１  画像形成装置
１００  ＡＤＦ（自動原稿送り装置）
２００  読取ユニット
３００  書込ユニット
４００  プリンタユニット
５００  フィニッシャ
６００  メインコントローラ
７００  操作部
７０１  液晶タッチパネル表示部
７１２  予約キー
７１３  「操作者」キー
８００  ＩＰＵ（画像処理ユニット）
８１１  ＣＰＵ
８１２  ＲＯＭ
８１３  ＲＡＭ
８１４  ＮＶ−ＲＡＭ
８１５  Ｉ／Ｏポート
８１６  電話回線・通信制御ユニット
９００  ＩＣカードスロット
【図１】
2006237857.tif 000003
【図２】
2006237857.tif 000004
【図３】
2006237857.tif 000005
【図４】
2006237857.tif 000006
【図５】
2006237857.tif 000007
【図６】
2006237857.tif 000008
【図７】
2006237857.tif 000009